(57)【要約】【課題】睫毛の動きに追従してその先端部から剥がれ難く、かつ、塗布する接着剤の量も従来よりも少量に抑えることのできる付けまつ毛を提供する。【解決手段】長さ方向と、前記長さ方向の第１端部１２と、前記第１端部１２の反対端に位置し、接着剤１３を介して睫毛１１の先端部１１ａに取り付けられる第２端部１４と、前記第１端部１２と前記第２端部１４との間において前記長さ方向へ延びる中央部１５とを含む付けまつ毛１０において、前記第２端部１４が、前記中央部１５よりも幅狭であり、先細状に形成されている前記付けまつ毛１０。【選択図】図１
2010024566.tif 000002
【特許請求の範囲】
【請求項１】
長さ方向と、前記長さ方向の第１端部と、前記第１端部の反対端に位置し、接着剤を介して睫毛の先端部に取り付けられる第２端部と、前記第１端部と前記第２端部との間において前記長さ方向へ延びる中央部とを含む付けまつ毛において、
前記第２端部が、前記中央部よりも幅狭であり、先細状に形成されている前記付けまつ毛。
【請求項２】
前記第１端部が、前記第２端部と実質的に同じ先細状に形成されている請求項１記載の付けまつ毛。
【請求項３】
前記長さ方向と直交する横方向の断面が実質的に円形に形成され、前記第１及び第２端部からこれらの間の中央部へ向かって次第に径大に形成されている請求項１又は２記載の付けまつ毛。
【発明の詳細な説明】
【技術分野】
【０００１】
本発明は、付けまつ毛に関し、特に、使用中に使用者の睫毛から剥がれ難い付けまつ毛に関する。
【背景技術】
【０００２】
一般に、睫毛の１本ずつに、その先端に取り付けられる付けまつ毛は公知である。たとえば、特許文献１には、付けまつ毛の一端部に接着剤を塗布し、該一端部を使用者の睫毛の先端部に取り付ける態様が開示されている。
【特許文献１】特開平１０−１８３４１５号公報
【発明の開示】
【発明が解決しようとする課題】
【０００３】
特許文献１に開示された、いわゆる独立型の付けまつ毛は、睫毛の１本ずつに独立して取り付けられているので、複数の付けまつ毛から形成された毛束を瞼の表面上に接着剤を介して直接取り付ける従来の集合型の付けまつ毛に比して、外観上自然な印象を与えるとともに、接着剤が皮膚に直接触れることはなく、接着剤による皮膚のかぶれを防止することができる。
【０００４】
しかし、市販されている独立型の付けまつ毛は、接着剤を塗布して睫毛の先端部に取り付けられている基端部から毛先を形成する先端部に向かうにつれて先細状に形成されており、基端部がそれよりも細い睫毛の先端部に取り付けられるので、接着域の剛性が比較的に高くなり、使用中に、基端部が睫毛の先端部の動きに追従できず、剥がれ易くなるという問題がある。
【０００５】
また、付けまつ毛が睫毛から剥がれるのを防止するために、接着域に通常よりも多くの接着剤を塗布する場合には、接着剤が接着域からはみ出して、隣り合う付けまつ毛や睫毛に付着してしまったり、接着剤が目の中に入り込んでしまうおそれがある。一般に、この種の製品に使用される接着剤は、揮発性の成分が含まれているので、接着剤が微量でも目に入り込んだ場合には、目が沁みて痛みを生じるおそれもある。
【０００６】
そこで、本発明では、睫毛の動きに追従してその先端部から剥がれ難く、かつ、塗布する接着剤を従来よりも少量に抑えることのできる付けまつ毛の提供を課題としている。
【課題を解決するための手段】
【０００７】
前記課題を解決するために、本発明が対象とするのは、長さ方向と、前記長さ方向の第１端部と、前記第１端部の反対端に位置し、接着剤を介して睫毛の先端部に取り付けられる第２端部と、前記第１端部と前記第２端部との間において前記長さ方向へ延びる中央部とを含む付けまつ毛である。
【０００８】
この発明の特徴とするところは、前記第２端部が、前記中央部よりも幅狭であり、先細状に形成されていること、にある。
【０００９】
本発明は、前記特徴とする構成のほかに、以下の好ましい実施の形態を含む。
（１）前記第１端部が、前記第２端部と実質的に同じ先細状に形成されている。
（２）前記長さ方向と直交する横方向の断面が実質的に円形に形成され、前記第１及び第２端部からこれらの間の中央部へ向かって次第に径大に形成されている。
【発明の効果】
【００１０】
本発明では、睫毛の先端部に取り付けられる端部が先細状に形成されていることから、接合部位の剛性が比較的に低くなり、付けまつ毛が睫毛の動きに追従するので、使用中に付けまつ毛が睫毛から妄りに剥がれ落ちることはない。
【発明を実施するための最良の形態】
【００１１】
図１は、付けまつ毛１０の使用状態を示す斜視図、図２は、付けまつ毛１０の側面図、図３は、付けまつ毛１０の取り付け状態を示す、図１の一部拡大図である。
【００１２】
付けまつ毛１０は、その長さ方向と直交する横方向の断面が実質的に円形を有し、ナイロンなどの合成樹脂やシルクから作られており、その毛先を形成する先細状の第１端部１２と、第１端部１２の反対端に位置し、睫毛１１の先端部１１ａに接着剤１３を介して取り付けられる第２端部１４と、第１端部１２と第２端部１４との間において長さ方向へ延び、第１端部１２と第２端部１４よりも径大の中央部１５とを含み、側面視で略円弧状を有している。第２端部１４と先端部１１ａとの取り付け部位には、接着剤１３が塗布された接着域１６が形成されている。
【００１３】
図３に示すとおり、付けまつ毛１０の使用時において、中央部１５に比べて径小である、先細状の第２端部１４が、睫毛１１の先端部１１ａに接着剤１３を介して取り付けられている。このように、先細状の第２端部１４が睫毛１１の先端部１１ａに接着剤１３を介して取り付けられていることによって、第２端部１４が睫毛１１の動きに追従するので、使用中に第２端部１４が先端部１１ａから剥がれて、付けまつ毛１０が睫毛１１から剥がれ落ちてしまうおそれはない。
【００１４】
すなわち、睫毛の１本ずつに取り付けられる従来の、いわゆる独立型の付けまつ毛は、毛先を形成する先端部が先細状を有し、先端部から睫毛の先端部に取り付けられる基端部へ向かうにつれて径大となる形状を有しており、基端部が先細状を有するものではないので、接着域の剛性が比較的に高くなり、基端部が、まばたきによる睫毛の先端部の動きに十分に追従できず、剥がれ易くなっていた。
【００１５】
また、使用中に、付けまつ毛が睫毛から剥がれ落ちるのを防止するために、接着域に通常よりも多くの接着剤を塗布する場合には、接着剤が接着域からはみ出して、隣り合う付けまつ毛や睫毛に付着してしまったり、接着剤が目の中に入り込んでしまうおそれがある。一般に、この種の製品に使用される接着剤は、揮発性の成分が含まれているので、接着剤が微量でも目に入り込んだ場合には、目が沁みて痛みを生じるおそれがある。
【００１６】
しかし、本発明の付けまつ毛１０は、睫毛１１の先端部１１ａに取り付けられている第２端部１４が先細状を有しており、接着域１６の剛性が従来の付けまつ毛のそれよりも低いので、睫毛１１の先端部１１ａの動きに追従して第２端部１４が先端部１１ａとともに撓り、先端部１１ａの動きによって第２端部１４が先端部１１ａから剥がれてしまうおそれはない。
【００１７】
また、第２端部１４は先細状であり、睫毛１１の動きに容易に追従することができ、使用する接着剤は従来の付けまつ毛に比して少量で足りることから、つけまつ毛１０の取り付け時に接着剤が接着域１６からはみ出すおそれはなく、また、接着剤の硬化によって接着域１６の剛性が必要以上に高くなるおそれもない。
【００１８】
具体的には、付けまつ毛１０の第２端部１４の幅寸法は、中央部１５の幅寸法の０．２〜０．７倍であることが好ましい。０．２倍以下の場合には、付けまつ毛１０の使用中に第２端部１４が破断してしまうおそれがあり、一方、０．７倍以上の場合には、接着域１６の剛性が高くなり、第２端部１４が睫毛１１の先端部１１ａの動きに十分に追従できなくなるおそれがあるからである。
【００１９】
図４は、図３のＩＶ−ＩＶ線断面図である。
【００２０】
図４に示すとおり、付けまつ毛１０の第２端部１４と睫毛１１の先端部１１ａとの接着域１６では、断面円形状を有する第２端部１４の外周面の一部と、同様に断面円形状を有する睫毛１１の先端部１１ａの外周面の一部とが、接着剤１３を介して面状に当接して接着されている。このように、点状ではなく、互いに面状に当接して接着されているので、たとえ使用される接着剤１３が比較的に少量であっても、所望の接着力が付与されて、使用中に、付けまつ毛１０が不用意に睫毛１１から剥がれ落ちてしまうおそれはない。
【００２１】
通常、使用者自らが、付けまつ毛を取り付ける場合には、付けまつ毛をピンセットなどで摘んで、その一端部に接着剤を付け、該端部を睫毛の先端部に取り付けるという作業を睫毛の一本ごとに行う必要がある。この際、付けまつ毛と睫毛が細小であるため手先の作業が容易ではなく、いきおい接着剤が接着域からはみ出して、１本の付けまつ毛を複数本の睫毛に取り付けてしまったり、はみ出した接着剤が目の中に入ってしまうなどの問題がある。そのため、一般的には、この種の付けまつ毛の取り付けは、美容院や美容サロンなどで専門の資格を有する者によってなされている。
【００２２】
また、付けまつ毛の取り付けの際に、付けまつ毛の端部の形状をはっきりと視認することが困難であるため、毛先を形成する先端部と睫毛の先端部に取り付けられる基端部とを取り間違えて、先端部を睫毛に取り付けてしまうなどの問題がある。
【００２３】
しかし、本発明の付けまつ毛１０では、毛先を形成する第１端部１２と睫毛の先端部１１ａに取り付けられる第２端部１４とが実質的に同形の先細状を有しているので、取り付け時に、第２端部１４を毛先を形成する先端部、第１端部１２を睫毛の先端部１１ａに取り付つける基端部としてもよい。よって、本発明の付けまつ毛１０では、１本の付けまつ毛１０の取り付けに使用する接着剤１３が従来のものよりも少量なので、取り付け時に接着剤１３が接着域１６からはみ出してしまうおそれはなく、かつ、付けまつ毛１０の両端部について第１端部（先端部）１２と第２端部（基端部）１４との選別も不要であるので、その取り付け作業も容易であり、家庭用のキットを用いて使用者自らが安全に取り付けることができる。
【００２４】
付けまつ毛１０は、接着剤１３が乾いた後にコーティング剤を塗り、睫毛１１とともにビューラーで形を整えた後に、その表面上にマスカラを塗って色彩や光沢を施すことができる。付けまつ毛１０を睫毛１１から剥がすときには、専用の剥離剤（リムーバー）を用いてもよいし、洗顔用のクレンジング剤で接着域１６を強めに擦って剥してもよい。
【００２５】
付けまつ毛１０と接着剤１３とには、この種の製品に用いられる公知の材料を制限なく用いることができる。付けまつ毛１０の長さは、好ましくは５〜１２ｍｍ程度であり、この範囲に限らず、必要に応じた長さに設定することができ、また、その形状は、円弧状のほかに、いわゆるＪカール、Ｃカールなどの公知の形状を有するものであってもよく、さらに、断面形状が円形ではなく、角形、扁平のものであってもよい。
【図面の簡単な説明】
【００２６】
【図１】付けまつ毛の取り付け状態を示す斜視図。
【図２】付けまつ毛の側面図。
【図３】図１の一部拡大図。
【図４】図３のＩＶ−ＩＶ線断面図。
【符号の説明】
【００２７】
１０    付けまつ毛
１１    睫毛
１１ａ  睫毛の先端部
１２    第１端部
１３    接着剤
１４    第２端部
１５    中央部
１６    接着域
【図１】
2010024566.tif 000003
【図２】
2010024566.tif 000004
【図３】
2010024566.tif 000005
【図４】
2010024566.tif 000006